(57)【要約】【課題】バウンス撮影の際に逆入光による露出のずれを確実に防止する。【解決手段】閃光装置３を被写体以外の反射面に向けて発光させて被写体の撮影を行うバウンス撮影を行うに当たって閃光装置を予備発光させて当該予備発光による反射光が接眼レンズ１６から混入して測光センサー１７に入力される混入条件であると、カメラ制御部は主ミラー１２をアップして接眼レンズから混入する反射光を遮光して撮像素子１１の出力である画像信号に応じて測光を行ってバウンス撮影の際の閃光装置による本発光における発光量および露出を調整する。【選択図】図１
2015004728.tif 000002
【特許請求の範囲】
【請求項１】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置であって、
前記バウンス撮影を行うに当たって前記閃光装置を予備発光させて当該予備発光による反射光を、前記撮影レンズを介して受けて、前記予備発光による反射光を測光してその測光結果に応じて前記バウンス撮影の際の前記閃光装置による本発光における発光量および露出を調整する第１の調整手段と、
前記予備発光による反射光が前記ファインダー部から混入して前記第１の調整手段に入力される混入条件であるか否かを判定する判定手段と、
前記判定手段によって前記混入条件であると判定されると、前記第１の調整手段の代わりに、前記撮像手段の出力である前記画像信号に応じて測光を行って前記バウンス撮影の際の前記閃光装置による本発光における発光量および露出を調整する第２の調整手段と、
を有することを特徴とする撮像装置。
【請求項２】
前記判定手段は、前記予備発光による反射光が前記ファインダー部から入射して前記第１の調整手段に送られる逆入光条件であるか否かを判定するとともに、前記ファインダー部が遮光されているか否かを判定して、前記逆入光条件であってかつ前記ファインダー部が遮光されていない状態であると、前記混入条件であると判定することを特徴とする請求項１に記載の撮像装置。
【請求項３】
前記閃光装置は、発光を行うための発光部を備え、前記発光部はその照射方向が可変であり、
前記判定手段は前記照射方向と水平方向との角度であるバウンス角度が予め定められた閾値角度未満であると、前記逆入光条件であると判定することを特徴とする請求項２に記載の撮像装置。
【請求項４】
前記撮影レンズの光軸上に配置され、前記撮影レンズを介して入射した光学像を前記ファインダー部および前記撮像手段に導くミラー部を備え、
前記判定手段によって前記混入条件であると判定されると、前記第２の調整手段は前記ミラー部を前記撮影レンズの光軸から離脱させて、前記ミラー部によって前記ファインダー部から混入する反射光を遮光することを特徴とする請求項１〜３のいずれか１項に記載の撮像装置。
【請求項５】
前記ミラー部は前記撮影レンズを介して入射した光学像を前記ファインダー部および前記撮像手段に導く主ミラーを備えるとともに、前記光学像を、焦点検出を行うための焦点検出部に導く反射ミラーを備えることを特徴とする請求項１に記載の撮像装置。
【請求項６】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置の制御方法であって、
前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、
前記予備発光による反射光が前記ファインダー部から混入して前記測光センサーに入力される混入条件であるか否かを判定する判定ステップと、
前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、
を有することを特徴とする制御方法。
【請求項７】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置で用いられる制御プログラムであって、
前記撮像装置が備えるコンピュータに、
前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、
前記予備発光による反射光が前記ファインダー部から混入して前記測光センサーに入力される混入条件であるか否かを判定する判定ステップと、
前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、
を実行させることを特徴とする制御プログラム。
【発明の詳細な説明】
【技術分野】
【０００１】
本発明は、撮像装置、その制御方法、および制御プログラムに関し、特に、撮像装置に備えられた発光装置の発光制御に関する。
【背景技術】
【０００２】
従来、ストロボ装置（以下単にストロボと呼ぶ）などの発光装置を発光させて撮影を行う際に、ストロボを天井又は壁に向けて発光を行ってストロボ光を拡散させることが行われている。光を拡散させることによって、被写体に直接ストロボ光を照射するよりも自然な配光を得ることができる。そして、このようにストロボ光を拡散させて撮影を行う手法は、一般的にバウンス撮影手法と呼ばれている。
【０００３】
例えば、バウンス撮影の際に、最適なストロボの照射角度を自動で求め、その照射角度をストロボ背面側に向けて最適な配光を行うようにしたストロボがある（特許文献１参照）。
【先行技術文献】
【特許文献】
【０００４】
【特許文献１】特開２０１１−１７００１４号公報
【発明の概要】
【発明が解決しようとする課題】
【０００５】
ところが、バウンス撮影の際に、ストロボの照射角度を背面側に向けると、場合によっては天井又は壁などの反射面で反射した反射光が撮像装置の接眼レンズに混入することがある。一般に、撮像装置の接眼レンズから光が入って、当該光が測光センサーに照射されることによって露出がずれる現象を逆入光と呼ぶ。
【０００６】
このように、自然な配光を実現するため、ストロボの照射角度を背面側に向けると、条件によっては逆入光が生じて露出がずれてしまうという事態が発生してしまう。
【０００７】
従って、本発明の目的は、バウンス撮影の際に逆入光による露出のずれを抑制することのできる撮像装置、その制御方法、および制御プログラムを提供することにある。
【課題を解決するための手段】
【０００８】
上記の目的を達成するため、本発明による撮像装置は、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置であって、前記バウンス撮影を行うに当たって前記閃光装置を予備発光させて当該予備発光による反射光を、前記撮影レンズを介して受けて、前記予備発光による反射光を測光してその測光結果に応じて前記バウンス撮影の際の前記閃光装置による本発光における発光量および露出を調整する第１の調整手段と、前記予備発光による反射光が前記ファインダー部から混入して前記第１の調整手段に入力される混入条件であるか否かを判定する判定手段と、前記判定手段によって前記混入条件であると判定されると、前記第１の調整手段の代わりに、前記撮像手段の出力である前記画像信号に応じて測光を行って前記バウンス撮影の際の前記閃光装置による本発光における発光量および露出を調整する第２の調整手段と、を有することを特徴とする。
【０００９】
本発明による制御方法は、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置の制御方法であって、前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、前記予備発光による反射光が前記ファインダー部から混入して前記測光センサーに入力される混入条件であるか否かを判定する判定ステップと、前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、を有することを特徴とする。
【００１０】
本発明による制御プログラムは、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体の撮影を行うバウンス撮影を行う撮像装置で用いられる制御プログラムであって、前記撮像装置が備えるコンピュータに、前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、前記予備発光による反射光が前記ファインダー部から混入して前記測光センサーに入力される混入条件であるか否かを判定する判定ステップと、前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、を実行させることを特徴とする。
【発明の効果】
【００１１】
本発明によれば、予備発光による反射光がファインダー部から混入する混入条件であると、撮像手段の出力である画像信号に応じて測光を行ってバウンス撮影の際の閃光装置による本発光における発光量および露出を調整するようにしたので、バウンス撮影の際に逆入光による露出のずれを抑制することができる。
【図面の簡単な説明】
【００１２】
【図１】本発明の実施の形態による撮像装置の一例についてその断面を示す図である。
【図２】図１に示すカメラで行われるオートバウンス撮影処理を説明するためのフローチャートである。
【図３】図１に示す閃光装置で行われるオートバウンス駆動制御を説明するための図である。
【発明を実施するための形態】
【００１３】
以下、本発明の実施の形態による撮像装置の一例について図面を参照して説明する。
【００１４】
図１は、本発明の実施の形態による撮像装置の一例についてその断面を示す図である。
【００１５】
図示の撮像装置は、撮影レンズユニット（以下単に撮影レンズと呼ぶ）の交換可能な所謂一眼レフタイプのデジタルカメラ（以下単にカメラと呼ぶ）である。図示のカメラはカメラ本体１を備え、当該カメラ本体１には撮影レンズ（交換レンズともいう）２が取り付けられている。さらに、カメラ本体１には発光装置（閃光装置ともいう）３が取り付けられている。
【００１６】
カメラ本体１には撮影レンズ２の光軸上においてメカニカルシャッター１０が配置されており、メカニカルシャッター１０の後段には、例えば、ＣＭＯＳセンサー又はＣＣＤなどのエリア蓄積型光電変換素子を有する撮像素子１１（撮像手段）が配置されている。そして、撮像素子１１は撮影レンズ２を介して入射した光学像に応じた画像信号を生成する。
【００１７】
一方、メカニカルシャッター１０の前段には半透過性の主ミラー１２ａが配置されている。そして、メカニカルシャッター１０と主ミラー１２ａとの間には第１の反射ミラー１２ｂが配置されている。主ミラー１２ａおよび第１の反射ミラー１２ｂ（これらはミラー部１２と呼ばれる）はともに撮影の際には上側に跳ね上げられる。つまり、撮影の際には、ミラー部１２は撮影レンズ２の光軸から離脱した位置にアップされる。
【００１８】
なお、カメラ本体１には焦点検出部１４が配置され、この焦点検出部１４には第１の反射ミラー１２ｂで反射した反射光が入力されて、焦点検出部１４は撮影画面における任意の位置で所謂像ずれ方式によって焦点検出を行う。
【００１９】
図示のように、カメラ本体１にはペンタプリズム１５が備えられるとともに、接眼レンズ１６が備えられている。そして、ユーザーは接眼レンズ１６によって光学像を観察することができる。さらに、カメラ本体１には、測光用センサー１７が備えられており、この測光用センサー１７は被写体の輝度に係る輝度情報を得るためのものである。測光用センサー１７は、例えば、シリコンフォトダイオードなどの光電変換素子を備えて、格子状に複数の受光部に分割された受光センサー部を有しており、撮影画面の略全体が視野とされる。
【００２０】
カメラ本体１には、接眼センサー１８が備えられており、当該接眼センサー１８は撮影者（ユーザ）がファインダーを覗きこんでいるか否かを検出する。カメラ本体１の上面にはシャッタースイッチ（ＳＷ）１９が設けられている。シャッターＳＷ１９を軽く押す動作（つまり、半押し動作）をシャッターＳ１と呼び、シャッターＳ１のオンによって、カメラ本体１に備えられたマイコンなどのカメラ制御部１３は被写体の測光および焦点検出を開始する。シャッターＳＷ１９を深く押す動作（つまり、全押し動作）をシャッターＳ２と呼び、シャッターＳ２のオンによってカメラ制御部１３は露光を開始する。
【００２１】
閃光装置３は閃光装置３の全体を制御する閃光本体部（以下単に本体部と呼ぶ）３０と発光部３１とを備えている。なお、この本体部３０にはマイコンなどの閃光制御部３８が備えられている。
【００２２】
本体部３０と発光部３１とは連結部３２によって連結されており、本体部３０をカメラ本体１に固定した状態で発光部３１の角度を左右および上下方向に変化させることができる（つまり、発光部３１はその照射方向が可変である）。ここで、本体部３０における連結部３２の配置されている側を上側として、左右方向および上下方向を定義している。発光部３１は駆動部３３、光源３４、および測距用測光センサー３５を有しており、本体部３０の制御下で駆動部３３は発光部３１を駆動して発光部３１の照射方向を変更する。
【００２３】
図示のように、本体部３０の側面には、オートバウンスＳＷ３６が配置されており、当該オートバウンスＳＷ３６は撮影の際にバウンス角度を自動で求めるシーケンスを行うか否かを選択する場合に用いられる。以下の説明では、オートバウンスＳＷ３６がオンされて、バウンス角度を自動で決定する場合について説明するが、オートバウンスに限らずユーザーが手動でバウンス角度を変更決定するようにしてもよい。
【００２４】
なお、オートバウンスＳＷ３６がオンされると、閃光制御部３８はオートバウンスモードとなって駆動部３３を制御して発光部３１を左右および上下方向において最適なバウンス角度とする。ここでは、最適なバウンス角度とはバウンス撮影を行った際に被写体に対して影の映りこみが少ない自然な配光となる角度をいう。
【００２５】
最適なバウンス角度は、被写体と閃光装置３、そして、発光部３１からの光を反射させるバウンス面の位置関係に応じて求められる。このような位置関係からバウンス角度を求める手法については既知であるので詳細には説明しないが、閃光装置３と被写体との距離が近い場合には、発光部３１をカメラ本体１の背面側に向けると配光が自然になるので、バウンス角度は背面側とすることが望ましい。
【００２６】
一方、バウンス角度をカメラ本体１の背面側とすると、図１に示すように、カメラ本体１の背面には接眼レンズ１６が配置されている関係上、前述したように接眼レンズ１６からの逆入光によって露出がずれることがある。
【００２７】
さらに、上述の位置関係を求める際に用いる測距手法として、例えば、発光から受光までの時間差を距離に換算する所謂パルス伝搬手法が用いられる。つまり、ここでは、光源３４から照射された光が測距対象に反射して、当該反射光を測距用測光センサー３５で受光するまでの時間差に応じて測距対象までの距離が測定される。
【００２８】
例えば、閃光装置３を被写体に向けて発光した場合は、被写体と閃光装置３との間の距離を測距することができ、被写体以外の壁などのバウンス面（バウンス反射面ともいう）に向けて発光した場合は、バウンス面と閃光装置３との間の距離を測距することができる。なお、ここでは、パルス伝搬手法によって測距を行うが、別の手法を用いて測距を行うようにしてもよい。
【００２９】
図示のように、発光部３１の側面には、角度検出部３７が配置されており、この角度検出部３７によって、水平方向と照射方向とのなす角度であるバウンス角度Ｘが検出される。この際、角度検出部３７は駆動部３３による左右方向および上下方向の駆動量をカウントして発光部３１の角度を検出する。そして、閃光制御部３８は当該角度検出部３７の検出出力に応じて駆動部３３を駆動制御して発光部３１の角度をバウンス角度Ｘとする。
【００３０】
前述したように、被写体と閃光装置３との距離が近い場合には、最適バウンス角度、つまり、発光部３１の照射方向はカメラ本体１の背面側の方向とすることが望ましい。つまり、被写体とバウンス反射面とのが離れて、両者の角度が緩やかになると影が映り込みにくくなるため、発光部３１の照射方向をカメラ本体１の背面側とすることが望ましい。
【００３１】
一方、前述のように、発光部３１の照射方向がカメラ本体１の背面側に向いて、その角度（水平方向との角度）が所定の閾値Ｙ未満となる条件下では、接眼レンズ１６からの逆入光によって露出がずれることがある。
【００３２】
ここで、カメラ本体１に閃光装置３を装着した際の露出制御について簡単に説明する。
【００３３】
いま、シャッターＳＷ１９が押されると、カメラ制御部１３は閃光制御部３８に対して予備発光を指令する。これによって、閃光制御部３８は発光部３１を制御して予備発光である微小発光を行う。この微小発光によって被写体で反射した光が撮影レンズ２を介して主ミラー１２ａに到達してここで反射する。
【００３４】
そして、主ミラー１２ａで反射した光はペンタプリズム１５に導かれて測光用センサー１７に入射する。これによって、測光用センサー１７による測光が行われて、測光値（測光結果）としてカメラ制御部１３に与えられる。カメラ制御部１３は当該測光値に応じて適正露出となる本発光の発光量を決定する。
【００３５】
ところが、閃光装置３から発せられた予備発光（微小発光）による反射光が撮影レンズ２から入射するばかりでなく、接眼レンズ１６から入射することがある。接眼レンズ１６から反射光が入射すると、接眼レンズ１６の近傍に配置された測光用センサー１７に当該反射光が入射する関係上、測光用センサー１７で得られる測光値が通常よりも高くなってしまう。
【００３６】
つまり、測光用センサー１７には被写体からの反射光ばかりでなくバウンス面からの反射光も入射する結果、これら反射光が足し合わされたものとなって、測光用センサー１７で得られる測光値は正常な測光値よりも大きくなってしまう。この結果、カメラ制御部１３は被写体の反射率が高いと誤認してしまい、本発光の発光量を適正な発光量よりも少ない発光量とし、結果的に適正露出に制御されないことになる。つまり、露出アンダーとなってしまう。
【００３７】
図２は、図１に示すカメラで行われるオートバウンス撮影処理を説明するためのフローチャートである。なお、図示のフローチャートに係る処理はカメラ制御部１３の制御下で行われる。
【００３８】
図示のフローチャートに係る処理は、オートバウンスＳＷ３６がオンとなっている場合に行われる。まず、カメラ制御部１３はシャッターＳ１がオンであるか否かを判定する（ステップＳ１００）。シャッターＳ１がオフであると（ステップＳ１００において、ＮＯ）、カメラ制御部１３は待機する。シャッターＳ１がオンであると（ステップＳ１００において、ＹＥＳ）、カメラ制御部１３は被写体の測光および焦点検出を行う。つまり、カメラ制御部１３はＡＥおよびＡＦを行って、被写体検出を行う（ステップＳ１０１）。
【００３９】
その後、カメラ制御部１３は閃光制御部３８に対してオートバウンス駆動指示を行う（ステップＳ１０２）。これによって、閃光制御部３８は後述するようにしてオートバウンス駆動を行う。
【００４０】
図３は、図１に示す閃光装置３で行われるオートバウンス駆動制御を説明するための図である。なお、図示のフローチャートに係る処理は、閃光制御部３８の制御下で行われる。
【００４１】
カメラ制御部１３からバウンス駆動指示を受けると、閃光制御部３８はまず、正面距離（つまり、被写体との距離）を求めるための正面距離測距制御を行う（ステップＳ２００）。ここでは、前述したように、光源３４から被写体に照射された光の反射光を測距用測光センサー３５で受光して、当該測光値に応じて閃光制御部３８は正面距離を求めることになる。
【００４２】
続いて、閃光制御部３８は駆動部３３を制御して発光部３１の角度を垂直方向とする（水平面に対する角度を垂直とする）。つまり、閃光制御部３８は光源３４の照射方向を垂直方向とする。そして、閃光制御部３８は光源３４からバウンス面（ここでは、天井面）に光を照射してバウンス面との距離を求めるためのバウンス面距離測距制御を行う（ステップＳ２０１）。なお、バウンス面との距離は、測距用測光センサー３５の出力である測光値に応じて、閃光制御部３８が算出する。
【００４３】
次に、閃光制御部３８は正面距離とバウンス面距離とに応じて最適バウンス角度Ｘを求める（ステップＳ２０２）。なお、最適バウンス角度の算出については既知であるので説明を省略するが、最適バウンス角度とは、被写体に対して影が映り込まず、且つバウンス面と被写体との距離、つまり、光路が最短で発光エネルギーのロスが少ない角度である。そして、閃光制御部３８は最適バウンス角度Ｘに応じて、角度検出部３７による角度検出結果を参照しつつ駆動部３３を制御して発光部３１の角度を最適バウンス角度とするバウンス角度駆動制御を行う（ステップＳ２０３）。
【００４４】
続いて、閃光制御部３８は最適バウンス角度Ｘが逆入光角度（閾値角度）Ｙ未満であるか否かを判定する（ステップＳ２０４）。この逆入光角度Ｙは、接眼レンズ１６に予備発光の反射光が入射する逆入光条件を示す閾値角度であって、最適バウンス角度Ｘが逆入光角度Ｙ以上であると逆入光条件とはならない。
【００４５】
最適バウンス角度Ｘが逆入光角度Ｙ以上（閾値角度以上）であると（ステップＳ２０４において、ＮＯ）、閃光制御部３８は逆入光条件ではないとして、オートバウンス駆動制御を終了する。そして、閃光制御部３８はバウンス駆動が終了した旨を示すバウンス駆動終了通知をカメラ制御部１３に送る。一方、最適バウンス角度Ｘが逆入光角度Ｙ未満（閾値角度未満）であると（ステップＳ２０４において、ＹＥＳ）、閃光制御部３８は逆入光条件であるとして、カメラ制御部１３に逆入光条件（つまり、露出アンダー）であることを通知する（ステップＳ２０５）。そして、閃光制御部３８はオートバウンス駆動制御を終了し、バウンス駆動が終了した旨を示すバウンス駆動終了通知をカメラ制御部１３に送る。
【００４６】
再び図２を参照して、カメラ制御部１３は閃光制御部３８に対してバウンス駆動指示を行った後、バウンス駆動指示によるオートバウンス駆動制御が終了したか否かを判定する（ステップＳ１０３）。オートバウンス駆動制御が終了しないと、つまり、閃光制御部３８からバウンス駆動終了通知を受けないと（ステップＳ１０３において、ＮＯ）、カメラ制御部１３は待機する。
【００４７】
一方、閃光制御部３８からバウンス駆動終了通知を受けると（ステップＳ１０３において、ＹＥＳ）、カメラ制御部１３は閃光制御部３８から最適バウンス角度Ｘが逆入光条件である旨の通知を受けたか否かを判定する（ステップＳ１０４）。つまり、カメラ制御部１３は最適バウンス角度Ｘが逆入光条件であるか否かを判定する。
【００４８】
最適バウンス角度Ｘが逆入光条件であると（ステップＳ１０４において、ＹＥＳ）、カメラ制御部１３は、接眼センサー１８の出力に応じて遮蔽物が検出されたか否かを判定する（ステップＳ１０５）。接眼センサー１８によって遮蔽物が検出されていないと（ステップＳ１０５において、ＮＯ）、カメラ制御部１３は主ミラー１２ａおよび反射ミラー１２ｂを上側に駆動する（ミラーアップ：ステップＳ１０６）。つまり、逆入光条件であって、かつ接眼センサー１８が遮光されていない状態である混入条件であると、カメラ制御部１３は主ミラー１２ａおよび反射ミラー１２ｂを上側に駆動する。
【００４９】
これによって、つまり、ミラーアップによって、接眼レンズ１６から入る逆入光が撮像素子１１に到達することがなくなる。つまり、接眼レンズ１６から入る逆入光が撮像素子１１に混入することはなくなる。
【００５０】
ミラーアップの後においては、測光用センサー１７および焦点検出部１４を用いたＡＥおよびＡＦ（つまり、測光および焦点検出）を行うことができないので、カメラ制御部１３は測光および焦点検出の手法を切り替える（ステップＳ１０７）。ここでは、カメラ制御部１３は撮像素子１１の出力に応じて測光および焦点検出を行う手法に切り替える。例えば、カメラ制御部１３は撮像素子１１の出力に応じて所謂撮像面測光および撮像面焦点検出を行うが、これらは撮像面測光および撮像面焦点検出については既知であるので説明を省略する。
【００５１】
なお、ステップＳ１０６で行われたミラーアップによって、撮像素子１１の撮像面１１に逆入光が漏れ込むことはないので、測光値が適正な測光値からずれて露出制御が不適切となることはない。
【００５２】
続いて、カメラ制御部１３はシャッターＳ１がオンであるか否かを判定する（ステップＳ１０８）。シャッターＳ１がオフであると（ステップＳ１０８において、ＮＯ）、カメラ制御部１３はオートバウンス撮影処理を終了する。一方、シャッターＳ１がオンであると（ステップＳ１０８において、ＹＥＳ）、カメラ制御部１３は撮像素子１１の出力に応じて撮像面測光および像面焦点検出を行って、ＡＥおよびＡＦを実行する（ステップＳ１０９）。
【００５３】
次に、カメラ制御部１３はシャッターＳ２がオンであるか否かを判定する（ステップＳ１１０）。なお、最適バウンス角度Ｘが逆入光条件でないと（ステップＳ１０４において、ＮＯ）、カメラ制御部１３はステップＳ１１０の処理に進む。また、接眼センサー１８によって接眼レンズ１６の前に遮蔽物が検出されると（ステップＳ１０５において、ＹＥＳ）、カメラ制御部１３は、ステップＳ１１０の処理に進む。これは、最適バウンス角度Ｘが逆入光条件であっても接眼レンズ１６が塞がれている（遮光されている）ので逆入光は生じないためである。
【００５４】
シャッターＳ２がオフであると（ステップＳ１１０において、ＮＯ）、カメラ制御部１３はシャッターＳ１がオンであるか否かを判定する（ステップＳ１１１）。そして、シャッターＳ１がオフであると（ステップＳ１１１において、ＮＯ）、カメラ制御部１３はオートバウンス撮影処理を終了する。一方、シャッターＳ１がオンであると（ステップＳ１１１において、ＹＥＳ）、カメラ制御部１３は再度測光および焦点検出（ＡＥ／ＡＦ）を行って（ステップＳ１１２）、ステップＳ１１０の処理に戻る。
【００５５】
シャッターＳ２がオンであると（ステップＳ１１０において、ＹＥＳ）、カメラ制御部１３は閃光制御部３８を制御して発光部３１の発光制御を行うとともに露光制御を行って、撮像素子１１から得られた出力に応じた画像データを得る（ステップＳ１１３）。そして、カメラ制御部１３はオートバウンス撮影処理を終了する。
【００５６】
このように、本発明の実施の形態では、バウンス撮影の際に、予備発光による反射光が接眼レンズ１６から混入して、測光用センサー１７に入力される結果生じる測光値のずれに起因する露出誤差（露出ずれ）、つまり、逆入光条件を検知する。そして、逆入光条件であると測光および焦点検出の手法を撮像素子の出力を用いた手法に変更する。この結果、バウンス撮影を行う際に、逆入光が生じる逆入光条件であっても露出がずれることなく適正露出において撮影を行うことができる。
【００５７】
上述の説明から明らかなように、図１に示す例では、カメラ制御部１３、閃光制御部３８、測距用測光センサー３５、および測光用センサー１７が第１の第１の調整手段として機能する。また、カメラ制御部１３、角度検出部３７、接眼センサー１７、および閃光制御部３８は判定手段として機能し、カメラ制御部１３は第２の調整手段として機能する。なお、ペンタプリズム１５および接眼レンズ１６はファインダー部を構成する。
【００５８】
また、本発明に係る処理のうち、カメラ制御部１３で実行した処理の少なくとも一部を閃光制御部３８で実行するようにしてもよいし、閃光制御部３８で実行した処理の少なくとも一部をカメラ制御部１３で実行するようにしてもよい。例えば、閃光制御部３８で実行した距離算出処理やバウンス角度算出処理をカメラ制御部１３で実行してもよい。
【００５９】
また、本発明は、発光装置が着脱可能に取り付けられる撮像装置だけでなく、発光装置を内蔵した撮像装置にも適用できる。
【００６０】
以上、本発明について実施の形態に基づいて説明したが、本発明は、これらの実施の形態に限定されるものではなく、この発明の要旨を逸脱しない範囲の様々な形態も本発明に含まれる。
【００６１】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６２】
上記の制御方法および制御プログラムの各々は、少なくとも第１の調整ステップ、判定ステップ、および第２の調整ステップを有している。
【００６３】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００６４】
１  カメラ本体
２  撮影レンズ（交換レンズ）
３  閃光装置（発光装置）
１１  撮像素子
１２  ミラー部
１３  カメラ制御部
１４  焦点検出部
１６  接眼レンズ
１７  測光用センサー
１８  接眼センサー
３１  発光部
３８  閃光制御部
【図１】
2015004728.tif 000003
【図２】
2015004728.tif 000004
【図３】
2015004728.tif 000005